(57)【要約】  従来の遠隔操作システムでは、被操作端末が緊急時であるにも係らず遠隔操作処理が発生してしまう可能性があった。被操作端末は遠隔操作の受付状態を示す受付状態情報を中継サーバに送信する。中継サーバは、操作端末より遠隔操作要求を受信すると、遠隔操作を許可する操作端末と被操作端末の組を記憶したアクセス許可情報に基づいて行う遠隔操作を許可するかどうかの判定に加えて、受付状態情報に基づき、被操作端末が現在遠隔操作を受け付けているかどうかの判定を行う。中継サーバは判定結果に基づいて被操作端末に遠隔操作に関する制御メッセージを送信し、被操作端末は当該制御メッセージに基づいてサービスの提供を行う。
2012153457.tif 000002
【特許請求の範囲】
【請求項１】
遠隔操作を行う操作端末である第１移動通信端末装置と、前記遠隔操作を受ける被操作端末である第２移動通信端末装置と、前記遠隔操作を中継する中継装置を備え、
前記第１移動通信端末装置は、
遠隔操作要求を送信する遠隔操作要求送信手段を具備し、
前記第２移動通信端末装置は、
遠隔操作の受付状態を示す受付状態情報を送信する受付状態情報送信手段と、
遠隔操作に関する制御メッセージを受信する制御メッセージ受信手段と、
前記受信した制御メッセージに基づいてサービスを提供するサービス提供手段と、
を具備し、
前記中継装置は、
前記遠隔操作要求及び前記受付状態情報を受信する受信手段と、
遠隔操作が許可されている操作端末又は操作ユーザと被操作端末又は被操作ユーザとの対応関係を示すアクセス許可情報を管理するアクセス許可情報管理手段と、
前記受信した受付状態情報を管理する受付状態情報管理手段と、
前記アクセス許可情報及び受付状態情報に基づいて前記遠隔操作要求で要求される遠隔操作を許可するかどうかの判定を行う判定手段と、
前記判定手段で遠隔操作を許可すると判定された場合に、前記遠隔操作に関する制御メッセージを送信する制御メッセージ送信手段と、
を具備する、
遠隔操作システム。
【請求項２】
遠隔操作の受付状態を示す受付状態情報を送信する受付状態情報送信手段と、
遠隔操作に関する制御メッセージを受信する制御メッセージ受信手段と、
前記受信した制御メッセージに基づいてサービスを提供するサービス提供手段と、
を具備する移動通信端末装置。
【請求項３】
自装置の状態を監視する監視手段を更に具備し、
前記受付状態情報送信手段は、前記監視手段の監視結果に基づいて前記受付状態情報を送信する、
請求項２に記載の移動通信端末装置。
【請求項４】
前記監視手段は、自装置のバッテリー残量又はＣＰＵ負荷を監視し、
前記受付状態情報送信手段は、前記監視手段が監視する前記バッテリー残量が所定の基準値を下回った場合又は前記監視手段が監視する前記ＣＰＵ負荷が所定の基準値を上回った場合に遠隔操作を受け付けない状態であることを示す受付状態情報を送信する、
請求項３に記載の移動通信端末装置。
【請求項５】
前記受付状態情報送信手段は、遠隔操作の受付状態を示す受付状態情報として自端末が
受け付ける遠隔操作の最低優先度を送信する、
請求項２乃至４のいずれか１項に記載の移動通信端末装置。
【請求項６】
前記サービス提供手段は、
サーバ手段と、
前記制御メッセージに基づいて前記サーバ手段を制御する制御手段と、
前記サーバ手段に対する遠隔操作の要求に応じてデータの送信を行うデータ送信手段と、
を備える、
請求項２乃至５のいずれか１項に記載の移動通信端末装置。
【請求項７】
遠隔操作の開始要求である遠隔操作要求及び遠隔操作の受付状態を示す受付状態情報を受信する受信手段と、
遠隔操作が許可されている操作端末又は操作ユーザと被操作端末又は被操作ユーザとの対応関係を示すアクセス許可情報を管理するアクセス許可情報管理手段と、
前記受信した受付状態情報を管理する受付状態情報管理手段と、
前記アクセス許可情報及び受付状態情報に基づいて前記遠隔操作要求で要求される遠隔操作を許可するかどうかの判定を行う判定手段と、
前記判定手段で遠隔操作を許可すると判定された場合に、前記遠隔操作に関する制御メッセージを送信する制御メッセージ送信手段と、
を具備する中継装置。
【請求項８】
前記遠隔操作要求は、遠隔操作の優先度に関する優先度情報を含み、
前記受付状態情報は、受け付ける遠隔操作の最低優先度を示す最低優先度情報を含み、
前記判定手段は、前記受信した遠隔操作要求に含まれる優先度情報で示される優先度が前記受付状態情報に含まれる最低優先度情報で示される最低優先度を上回っている場合は、前記遠隔操作要求で要求される遠隔操作を許可する判定を行う、
請求項７に記載の中継装置。
【請求項９】
前記遠隔操作要求は、要求する遠隔操作の種類に関する情報を含み、
前記受付状態情報は、受け付ける遠隔操作の最低優先度を示す最低優先度情報を含み、
前記判定手段は、前記遠隔操作要求で要求される遠隔操作の種類に予め割り当てられた優先度が前記最低優先度情報で示される最低優先度を上回っている場合は、前記遠隔操作要求で要求される種類の遠隔操作を許可する判定を行う、
請求項７に記載の中継装置。
【請求項１０】
遠隔操作を受ける被操作端末より前記被操作端末における遠隔操作の受付状態を示す受付状態情報を受信し、
遠隔操作を行う操作端末より遠隔操作要求を受信し、
遠隔操作が許可されている操作端末又は操作ユーザと被操作端末又は被操作ユーザとの対応関係を示すアクセス許可情報に基づいて、前記受信した遠隔操作要求で要求される遠隔操作が許可されているかどうかを判定し、
受信した受付状態情報に基づいて前記遠隔操作要求で要求される遠隔操作を前記被操作端末が受け付けているかどうかを判定し、
前記第１ステップで許可された遠隔操作であると判定され、前記第２ステップで被操作端末が受け付けていると判定された場合は、前記被操作端末に前記遠隔操作に関する制御メッセージを送信する
中継方法。
【発明の詳細な説明】
【技術分野】
【０００１】
本発明は、中継装置を用いた遠隔操作システム及び当該遠隔操作システムで用いられる中継装置、移動通信端末装置、中継方法に関する。
【背景技術】
【０００２】
近年、操作端末からネットワークを介して被操作端末を遠隔操作するための技術が開発されている。【０００３】
特許文献１には、操作端末が、遠隔操作サーバに対して遠隔操作の内容を示す遠隔操作要求データを送信し、遠隔操作サーバが、当該データが示す操作内容に応じて遠隔操作の実行を要求するための操作要求データを被操作端末に送信する遠隔操作システムが開示されている。遠隔操作を中継する遠隔操作サーバは、許可する遠隔操作の内容を表す合意済使用条件データを予め記憶した初期設定内容保管ＤＢに問い合わせることで、遠隔操作要求データで要求される遠隔操作内容が許可されているかを判断する。当該遠隔操作システムによれば、遠隔操作サーバが、遠隔操作の内容に応じた制御を行う構成とすることで、ユーザは操作性良く多種多様な遠隔操作を行うことが可能となる。【０００４】
また、特許文献２には、携帯電話端末などの制御機器から送信される遠隔制御メッセージに基づいてホームサーバが制御対象機器を制御するホームネットワークが開示されている。当該構成によれば、ホームサーバは制御対象機器の特性に応じた遠隔制御モードを予め保持し、遠隔制御メッセージで指示される制御を、当該遠隔制御モードに基づいて行うため、制御対象機器に応じた制御が可能となる。
【先行技術文献】
【特許文献】
【０００５】
【特許文献１】特開２００５−１９８０９９号公報
【特許文献２】特開２００８−３５４３５号公報
【発明の概要】
【発明が解決しようとする課題】
【０００６】
携帯電話等の移動通信端末において、当該端末自体が有するセンサ機能により取得した情報や端末内部に保持している写真等のデータを、登録した友人や家族等に開示したいというニーズが存在する。【０００７】
このようなニーズに対応したサービスを提供するために、移動通信端末内にサーバ機能を導入し、外部から一定のプロトコルで要求があった場合に、当該サーバ機能の処理によって、測位情報や写真を送信するといった方法がある。【０００８】
ここで、サービスを提供する被操作端末である移動通信端末において、電池残量が少ない場合や、緊急を要する操作を行っている場合などは予め遠隔操作を許可しているユーザであっても、遠隔操作の要求を受け付けたくない場合が存在する。【０００９】
しかしながら、従来の遠隔操作システムでは、予め登録された初期設定に従って被操作側端末に遠隔操作要求通知が送信され、受信処理や制御処理が開始されてしまうため、緊急時にもかかわらず消費電力の増加や動作速度の低下が発生する可能性があった。【００１０】
本発明は、上記課題を鑑み、被操作側端末の端末状態を考慮して被操作側端末の負担を抑える遠隔操作システム及び当該システムで用いられる移動通信端末装置、中継装置、中継方法を提供することを目的とする。
【課題を解決するための手段】
【００１１】
本発明の遠隔操作システムは、遠隔操作を行う操作端末である第１移動通信端末装置と、前記遠隔操作を受ける被操作端末である第２移動通信端末装置と、前記遠隔操作を中継する中継装置と、から構成される遠隔操作システムであって、前記第１移動通信端末装置は、遠隔操作要求を送信する遠隔操作要求送信手段を具備し、前記第２移動通信端末装置は、遠隔操作の受付状態を示す受付状態情報を送信する受付状態情報送信手段と、遠隔操作に関する制御メッセージを受信する制御メッセージ受信手段と、前記受信した制御メッセージに基づいてサービスを提供するサービス提供手段と、を具備し、前記中継装置は、前記遠隔操作要求及び前記受付状態情報を受信する受信手段と、遠隔操作が許可されている操作端末又は操作ユーザと被操作端末又は被操作ユーザとの対応関係を示すアクセス許可情報を管理するアクセス許可情報管理手段と、前記受信した受付状態情報を管理する受付状態情報管理手段と、前記アクセス許可情報及び受付状態情報に基づいて前記遠隔操作要求で要求される遠隔操作を許可するかどうかの判定を行う判定手段と、前記判定手段で遠隔操作を許可すると判定された場合に、前記遠隔操作に関する制御メッセージを送信する制御メッセージ送信手段と、を具備する。【００１２】
また、本発明の移動通信端末装置は、遠隔操作の受付状態を示す受付状態情報を送信する受付状態情報送信手段と、遠隔操作に関する制御メッセージを受信する制御メッセージ受信手段と、前記受信した制御メッセージに基づいてサービスを提供するサービス提供手段と、を具備する。【００１３】
また、本発明の中継装置は、遠隔操作の開始要求である遠隔操作要求及び遠隔操作の受付状態を示す受付状態情報を受信する受信手段と、遠隔操作が許可されている操作端末又は操作ユーザと被操作端末又は被操作ユーザとの対応関係を示すアクセス許可情報を管理するアクセス許可情報管理手段と、前記受信した受付状態情報を管理する受付状態情報管理手段と、前記アクセス許可情報及び受付状態情報に基づいて前記遠隔操作要求で要求される遠隔操作を許可するかどうかの判定を行う判定手段と、前記判定手段で遠隔操作を許可すると判定された場合に、前記遠隔操作に関する制御メッセージを送信する制御メッセージ送信手段と、を具備する。【００１４】
また、本発明の中継方法は、遠隔操作を受ける被操作端末より前記被操作端末における遠隔操作の受付状態を示す受付状態情報を受信する受付状態情報受信ステップと、遠隔操作を行う操作端末より遠隔操作要求を受信する遠隔操作要求受信ステップと、遠隔操作が許可されている操作端末又は操作ユーザと被操作端末又は被操作ユーザとの対応関係を示すアクセス許可情報に基づいて、前記受信した遠隔操作要求で要求される遠隔操作が許可されているかどうかを判定する第１判定ステップと、受信した受付状態情報に基づいて前記遠隔操作要求で要求される遠隔操作を前記被操作端末が受け付けているかどうかを判定する第２判定ステップと、前記第１ステップで許可された遠隔操作であると判定され、前記第２ステップで被操作端末が受け付けていると判定された場合は、前記被操作端末に前記遠隔操作に関する制御メッセージを送信する送信ステップと、を具備する。
【発明の効果】
【００１５】
本発明によれば、被操作側端末の端末状態を考慮して被操作側端末の負担を抑える遠隔操作システム及び当該システムで用いられる移動通信端末装置、中継装置、中継方法を提供することができる。
【図面の簡単な説明】
【００１６】
【図１】実施の形態１にかかる遠隔操作システムの構成を示す図である。
【図２】実施の形態１にかかるアクセス許可情報の一例を示す図である。
【図３】実施の形態１にかかる受付状態情報の一例を示す図である。
【図４】実施の形態２にかかる遠隔操作システムの構成を示す図である。
【図５】実施の形態２にかかる遠隔操作システムの動作を示すフローチャート図である。
【図６】実施の形態３にかかる遠隔操作システムの構成を示す図である。
【図７】実施の形態４にかかる遠隔操作システムの構成を示す図である。
【図８】実施の形態４にかかる受付状態情報の一例を示す図である。
【図９】実施の形態５にかかる遠隔操作システムの構成を示す図である。
【図１０】実施の形態５にかかる遠隔操作の種類と対応する優先度との関係を示す図である。
【発明を実施するための形態】
【００１７】
（実施の形態１）
以下、本発明の実施の形態１に係る遠隔操作システムについて、図面を参照して詳細に説明する。
【００１８】
図１は本発明の実施の形態１に係る遠隔操作システム１０００の構成を示すブロック図である。遠隔操作システム１０００は、大きく分けて操作端末１００と、中継サーバ１２０と、被操作端末１４０と、から構成される。本発明の実施の形態１において遠隔操作システム１０００を構成する上記操作端末１００及び被操作端末１４０は、それぞれ携帯電話端末等の移動通信端末装置である。以下、各装置について詳細に説明する。
【００１９】
遠隔操作を行う操作端末１００は、遠隔操作要求送信部１０１を具備する。
【００２０】
遠隔操作要求送信部１０１は、中継サーバ１２０に遠隔操作要求を送信する。ここで、遠隔操作要求とは、遠隔操作を開始するに当たって操作端末側から送信される情報であり、遠隔操作要求には、遠隔操作を行う自端末又は操作側ユーザを識別する情報と、遠隔操作の対象となる被操作端末を識別する情報と、遠隔操作の開始を要求するメッセージとが含まれる。
【００２１】
次に中継サーバ１２０について説明する。中継サーバ１２０は、受信部１２１と、アクセス許可情報管理部１２２と、受付状態情報管理部１２３と、判定部１２４と、送信部１２５と、を備える。
【００２２】
受信部１２１は操作端末１００より上記遠隔操作要求を受信する。また、受信部１２１は被操作端末１４０から後述する受付状態情報を受信する。受信した受付状態情報は受付状態情報管理部１２３へ、受信した遠隔操作要求は判定部１２４へ、それぞれ出力される。
【００２３】
アクセス許可情報管理部１２２は、アクセス許可情報の管理を行う。ここで、アクセス許可情報とは、遠隔操作が許可されている操作端末と被操作端末との対応関係を示す情報である。具体的には、アクセス許可情報は、被操作端末又は被操作側ユーザと、操作端末又は操作側ユーザとを、をそれぞれ識別できる情報の組から構成される。アクセス許可情報は、遠隔操作における初期登録情報であり、遠隔操作を受ける被操作側ユーザが中継サーバにアクセスして当該アクセス許可情報の設定登録を行う。アクセス許可情報管理部１２２は、内部に上記アクセス許可情報を記憶する記憶部を備え、上記ユーザからのアクセスに応じて当該アクセス許可情報の更新等を行う。
【００２４】
図２にアクセス許可情報の一例を示す。図２に示すアクセス許可情報では、被操作端末を識別する被操作側識別情報及び操作端末を識別する操作側識別情報としてそれぞれ電話番号が登録されている。管理番号Ｎ００１〜Ｎ００３には同一の被操作端末（同一の電話番号）について、３つの異なる操作端末が対応付けされている。また、管理番号Ｎ００４には第２の被操作端末について、管理番号Ｎ００５〜Ｎ００６には第３の被操作端末について、それぞれ対応する操作端末の電話番号が登録されている。
【００２５】
なお、端末を識別する情報としては、携帯電話番号、端末識別番号、などを利用してもよいが、あらかじめ中継サーバとの間で登録を行い、その際に生成した端末ごとの固有の識別子を利用しても良い。また、ユーザを識別する情報としては、メールアドレスなどを利用してもよいが、端末を識別する情報と同様に、あらかじめ中継サーバとの間で登録を行い、生成した固有の識別子を利用してもよい。このとき、これらの識別子の一意性は中継サーバが保証する。
【００２６】
また、それぞれの識別情報は、偽装されないものである必要がある。識別情報単体では偽装可能な場合は、個別のパスワードを用意するなどして、他人の識別情報を利用できないようにする。すなわち、遠隔操作要求にはパスワードが含まれ、アクセス許可情報にはパスワードが別途記憶される。中継サーバの判定部ではこれらのパスワードによる認証処理も合わせて行う。
【００２７】
受付状態情報管理部１２３は、各被操作端末の遠隔操作に対する受付状態を示す受付状態情報の管理を行う。具体的には、受付状態情報管理部１２３は、内部に受付状態情報を記憶する記憶部を備え、受信部１２１で受信された受付状態情報を受け取って当該記憶部に記憶する。
【００２８】
図３に受付状態情報の一例を示す。受付状態情報には、被操作端末を識別する被操作側識別情報と、当該端末の遠隔操作の受付状態との組が記憶されている。例えば、管理番号Ｎ００１の被操作端末は、遠隔操作を受け付けることができる状態であり、Ｎ００３の被操作端末は、現在遠隔操作を受け付けない状態である。受付状態情報管理部１２３は、受信部１２１より受付状態情報を受け取ると、記憶部に記憶されている受付状態情報の更新を行う。
【００２９】
判定部１２４は、受信部１２１より入力した遠隔操作要求に基づいて、遠隔操作が許可されているかどうかの判定を行う。具体的には、アクセス許可情報管理部１２２に記憶されているアクセス許可情報を参照し、遠隔操作要求に含まれる操作端末及び被操作端末の組がアクセス許可情報に含まれているかどうかの第１の判定を行う。
【００３０】
判定部１２４は、更に受付状態情報管理部に記憶されている受付状態情報を参照し、遠隔操作要求に含まれる被操作端末の受付状態が"可能"となっているか、すなわち、被操作端末が遠隔操作を現在受け付けているかどうかの第２の判定を行う。
【００３１】
判定部１２４は、遠隔操作を要求している操作端末又は操作側ユーザが、遠隔操作を受ける側である被操作端末又は被操作側ユーザより遠隔操作を許可されている端末又はユーザであるとしてアクセス許可情報に登録されており、当該遠隔操作を受ける被操作端末が遠隔操作を受付中（可能）である場合は、送信部１２５に制御メッセージの送信指示を行う。当該送信指示には、遠隔操作要求で示される被操作端末及び操作端末の情報等も含まれる。
【００３２】
送信部１２５は、判定部１２４より制御メッセージ送信指示を受けると、内部に備える制御メッセージ生成部が制御メッセージを生成する。当該制御メッセージ生成部は、制御メッセージ送信指示で指定される被操作端末のメールアドレス等を宛先として当該制御メッセージを生成する。送信部１２５は当該生成された制御メッセージを送信する。ここで送信部１２５は、電子メールやＳＭＳなどの従来の通信手段を用いて当該制御メッセージを送信する。
【００３３】
これらの通信手段を用いる理由は、携帯電話端末に代表される被操作端末が、そもそもコミュニケーションツールだからである。すなわち、様々なアプリケーションが搭載され、高機能化する携帯電話端末においては、よく使用される機能やアプリケーションとあまり使用されない機能やアプリケーションとに大別することができる。しかしながら、携帯電話端末のコミュニケーションツールとしての本来の役割上、電話機能、メール機能、ＳＭＳ機能といった通信機能はサーバ機能を搭載するしないにかかわらず常に起動していることが期待できる機能である。この点に着目し、制御メッセージは、電子メールやＳＭＳを用いて送信される。なお、送信部１２５は、遠隔操作に関するメールであることを特定するための識別子をメッセージに付与し、通常のメールやＳＭＳなのか、あるいは遠隔操作に関する制御メッセージなのか、を識別可能にしてから送信する。
【００３４】
次に、被操作端末１４０について説明する。被操作端末１４０は受付状態情報送信部１４１と、制御メッセージ受信部１４２と、サービス提供部１４３と、を備える。
【００３５】
受付状態情報送信部１４１は、自端末の現在における遠隔操作に対する受付状態を示す受付状態情報を中継サーバに送信する。受付状態情報送信部１４１は、自端末を識別する情報と現在の受付状態を示す情報を受付状態情報に含めて送信する。
【００３６】
制御メッセージ受信部１４２は、中継サーバの送信部１２５より送信される制御メッセージを受信する。具体的には、制御メッセージ受信部１４２は、メール等の通信手段を用いてメッセージを受信し、受信したメッセージが、中継サーバからの制御メッセージであるか通常のメッセージであるかをメールに付与された識別子に基づいて判別する。制御メッセージ受信部１４２は、受信したメッセージのうち、制御メッセージ以外は従来のメールやＳＭＳとして扱い、対応するアプリケーションに渡す。一方、制御メッセージの場合は、サービス提供部１４３に当該制御メッセージを渡す。
【００３７】
サービス提供部１４３は制御メッセージ受信部１４２より制御メッセージを受け取ると、要求されている遠隔操作サービスの提供を行うための処理を開始し、サービスの提供を行う。
【００３８】
以上説明したように、本実施の形態１にかかる遠隔操作システムでは、遠隔操作を中継する中継サーバは、遠隔操作を受ける被操作端末から遠隔操作の受付状態を示す情報を適宜受信し、被操作端末の受付状態情報として管理する。ここで、操作端末から遠隔操作要求が出されても、遠隔操作要求で要求されている遠隔操作を受ける被操作端末が遠隔操作を現在受け付けていない場合は、中継サーバが遠隔操作の開始を許可せず、被操作端末に制御メッセージは送信されない。従って、被操作端末が遠隔操作を受けることができない状態にも関わらず中継サーバや操作端末より遠隔操作に関する制御メッセージが頻繁に送信され、被操作端末側で不要な処理が発生することを防ぐことができる。
【００３９】
なお、上記説明ではアクセス許可情報管理部１２２及び受付状態情報管理部１２３は、それぞれ個別の記憶部を有し、アクセス許可情報と受付状態情報を個別に記憶する場合について説明したがこれに限るものではない。共通の記憶部にアクセス許可情報と受付状態情報が記憶される構成であっても良い。また、アクセス許可情報及び受付状態情報は外部のデータベースＤＢに保管される構成であっても良い。アクセス許可情報管理部１２２と受付状態情報管理部１２３は、判定部１２４からの要求を受けて当該ＤＢにアクセスし、必要なアクセス許可情報及び受付状態情報を判定部１２４に返すよう構成されていても良い。
【００４０】
（実施の形態２）
以下、本発明の実施の形態２に係る遠隔操作システムについて、図面を参照して詳細に説明する。但し、実施の形態１で説明した構成ブロックや機能については一部説明を省略する。
【００４１】
図４は、実施の形態２に係る遠隔操作システム２０００の構成を示すブロック図である。
【００４２】
被操作端末２４０は、制御メッセージ受信部１４２、サービス提供部１４３、アクセス許可情報・受付状態情報送信部２４１、ユーザインタフェース提供部２４４、受付状態情報設定部２４５、アクセス許可情報設定部２４６、を備える。また、サービス提供部１４３は、サーバ制御部２４７と、端末内サーバ２４８と、通信制御部２４９と、を備える。
【００４３】
ユーザインタフェース提供部２４４は、ユーザからの入力をタッチパネルやテンキーなどで受け、またユーザへの出力を表示する。
【００４４】
受付状態情報設定部２４５は、受付状態情報の設定を行う。具体的には、ユーザインタフェース提供部２４４を介して行われるユーザからの指示に基づいて自端末の遠隔操作の受付状態を設定し、受付状態情報を生成してアクセス許可情報・受付状態情報送信部２４１に出力する。例えば、ユーザは自端末で映画の観賞等ＣＰＵ負荷の高い処理を行う場合には、予め観賞の邪魔をされないように遠隔操作の受付状態を受付不可とユーザインタフェース提供部２４４を介して受付状態情報設定部２４５に指示することができる。
【００４５】
アクセス許可情報設定部２４６は、アクセス許可情報の設定を行う。具体的には、アクセス許可情報設定部２４６は、ユーザインタフェース提供部２４４を介して行われるユーザからの指示に基づいて自端末に対する遠隔操作を許可する端末又はユーザを設定し、メールアドレスや携帯電話番号などの相手を特定できる方法で指定してアクセス許可情報を生成する。アクセス許可情報設定部２４６は、生成したアクセス許可情報をアクセス許可情報・受付状態情報送信部２４１に出力する。アクセス許可情報設定部２４６は、自端末に対する遠隔操作を認める許可端末や許可ユーザに関するアクセス許可情報の初期登録時や、その後許可端末・許可ユーザの変更や削除が生じた場合にもユーザからの指示に基づいてアクセス許可情報を生成する。
【００４６】
アクセス許可情報・受付状態情報送信部２４１は、受付状態情報設定部２４５及びアクセス許可情報設定部２４６からそれぞれ入力した受付状態情報及びアクセス許可情報を中継サーバ１２０に送信する。
【００４７】
制御メッセージ受信部１４２は、メール等を受信し、中継サーバの送信部１２５より送信される制御メッセージを抽出してサーバ制御部２４７へ出力する。ここでは受信した制御メッセージは遠隔操作の開始に関する制御メッセージであるとして説明する。
【００４８】
サーバ制御部２４７は、制御メッセージ受信部１４２より入力した制御メッセージの内容に基づいて端末内サーバの状態を制御する。ここでは、入力した制御メッセージが遠隔操作の開始に関する制御メッセージであるため、サーバ制御部２４７は端末内サーバ２４８を起動させる制御を行う。
【００４９】
端末内サーバ２４８は、サーバ制御部２４７の制御に従って、各種サービスを提供するサービス提供手段であり、ネットワークからの要求を受けて端末内部の機能を操作する。
【００５０】
通信制御部２４９は、中継サーバに接続を行い、中継サーバからの通信を端末内サーバ２４８に渡す。また、通信制御部２４９は、端末内サーバ２４８に対する遠隔操作の要求に応じてデータの送信を行う。
【００５１】
次に中継サーバ２２０について説明する。受信部２２１は、操作端末２００より遠隔操作要求を、被操作端末２４０から受付状態情報及びアクセス許可情報をそれぞれ受信する。受信した遠隔操作要求は判定部１２４へ、受信した受付状態情報は受付状態情報管理部１２３へ、受信したアクセス許可情報は、アクセス許可情報管理部２２２へそれぞれ出力される。
【００５２】
アクセス許可情報管理部２２２は、アクセス許可情報の管理を行う。アクセス許可情報管理部２２２は、受信部２２１よりアクセス許可情報を入力すると、自身が保有するアクセス許可情報を更新する。
【００５３】
通信転送部２２６は、被操作端末２４０の通信制御部２４９からの接続を受けてこれを保持し、当該被操作端末に対するアクセス許可を持った操作端末の遠隔操作部２０２からの接続があった場合に、前記保持した接続にこれを転送する。
【００５４】
なお、中継サーバ２２０が有する受付状態情報管理部１２３、判定部１２４、送信部１２５、の機能は、図１と同様であるため説明を省略する。
【００５５】
次に操作端末２００について説明する。操作端末２００は遠隔操作要求送信部１０１と遠隔操作部２０２を備える。なお、遠隔操作要求送信部１０１の機能は、図１と同様であるため説明を省略する。
【００５６】
遠隔操作部２０２は、中継サーバ２２０の通信転送部２２６を通じて端末内サーバ２４８に接続し、被操作端末２４０の機能を操作する。
【００５７】
次に遠隔操作システム２０００の動作について説明する。図５は、遠隔操作システム２０００における遠隔操作の処理の流れを示すフローチャート図である。
【００５８】
まず第１に、被操作端末は、自端末に対して遠隔操作を行うことを許可する端末またはユーザを中継サーバにアクセス許可情報として設定登録する（ステップＳ１０１）。具体的には、被操作端末は自らの被操作側識別情報と、許可する相手の操作側識別情報を中継サーバに送信し、中継サーバは送信されたこれらの情報に基づいてアクセス許可情報を作成・更新して登録を行う。
【００５９】
次に、被操作端末は、自端末に対する遠隔操作の受付状態を中継サーバに受付状態情報として設定登録する（ステップＳ１０２）。当該受付状態情報は被操作端末の状態に応じて適宜更新される。
【００６０】
次に、操作端末は、遠隔操作の開始を要求するにあたり、遠隔操作開始要求を送信する（ステップＳ１０３）。具体的には操作端末の遠隔操作要求送信部は、遠隔操作開始を示すメッセージとともに自らの操作側識別情報と、遠隔操作を行いたい相手の被操作側識別情報と、を中継サーバに送信する。
【００６１】
中継サーバは、前記遠隔操作要求を受信し、要求される遠隔操作を許可するかどうかを上記アクセス許可情報と受付状態情報を参照して判定する（ステップＳ１０４）。具体的には、中継サーバの判定部は、遠隔操作要求に含まれる操作側識別情報と被操作側識別情報の組がアクセス許可情報内に保存されているかどうかに基づいて当該遠隔操作は許可されているものであるかを判定する。更に判定部は、遠隔操作要求に含まれる被操作側識別情報より特定される被操作端末の受付状態が受付状態情報内で遠隔操作の受付中であることを示しているかを判定する。
【００６２】
中継サーバは、上記２つの判定の結果、遠隔操作を許可すると判定した場合は、遠隔操作の開始を通知するための制御メッセージを被操作端末に送信する（ステップＳ１０５）。
【００６３】
被操作端末は、メール等のメッセージを受信し、メッセージに付与された遠隔操作に関するメッセージであることを示す識別子に基づいて当該受信したメッセージが遠隔操作に関する制御メッセージであるかどうかを判定する（ステップＳ１０６）。
【００６４】
被操作端末は、Ｓ１０６で制御メッセージであると判定された場合は、当該制御メッセージを抽出し、制御メッセージの内容に従って端末内サーバの起動を行う（ステップＳ１０７）。なお、受信されたメッセージが制御メッセージでないと判定された場合は、従来のメールやＳＭＳとして扱い、対応するアプリケーションに渡し、メッセージの待ち受け状態に戻る。
【００６５】
次に、被操作端末の通信制御部は、端末内サーバの起動を確認後、中継サーバに接続を行う（ステップＳ１０８）。中継サーバは通信転送部でこの接続を受けて接続元を確認し、アクセス許可情報管理部に対して、当該接続元の被操作端末がアクセス許可情報に登録されている被操作端末からの接続要求であるかを確認する。当該接続元の被操作端末がアクセス許可情報に登録されている場合は接続を保持する。一方、登録のない場合は接続を拒否する。更に、操作端末の遠隔操作部から中継サーバに接続が行われ、通信転送部がこれを受けて接続元を確認し、アクセス許可情報管理部に対して、当該接続元の操作端末がアクセス許可情報に登録されている操作端末からの接続要求であるかを確認する。当該接続元の操作端末がアクセス許可情報に登録のある操作端末の場合は、組になっている被操作端末の接続に、これを転送する。登録のない場合は接続を拒否する。
【００６６】
次に、操作端末は、中継サーバを通じて転送される接続を利用し、被操作端末の端末内サーバに接続して、被操作端末の機能を遠隔から操作する（ステップＳ１０９）。
【００６７】
遠隔操作を終える際は、操作端末から遠隔操作終了を中継サーバに要求する（ステップＳ１１０）。具体的には操作端末の遠隔操作要求送信部が、遠隔操作終了を示すメッセージと共に自らの操作側識別情報と、遠隔操作を終了したい相手の被操作側識別情報とを遠隔操作要求に含めて中継サーバに送信する。
【００６８】
次に、中継サーバは、遠隔操作要求を受信し、遠隔操作の終了を許可するかどうかをアクセス許可情報を参照して判定する（ステップＳ１１１）。具体的には、中継サーバの判定部は、遠隔操作要求に含まれる操作側識別情報と被操作側識別情報の組がアクセス許可情報内に保存されているかどうかに基づいて当該要求は許可されているものであるかを判定する。
【００６９】
中継サーバは、上記判定の結果、遠隔操作の終了を許可すると判定した場合は、遠隔操作の終了を通知するための制御メッセージを被操作端末に送信する（ステップＳ１１２）。
【００７０】
被操作端末は、メール等のメッセージを受信し、メッセージに付与された遠隔操作に関するメッセージであることを示す識別子に基づいて当該受信したメッセージが遠隔操作に関する制御メッセージであるかどうかを判定する（ステップＳ１１３）。
【００７１】
被操作端末は、Ｓ１１３で制御メッセージであると判定された場合は、当該制御メッセージを抽出し、制御メッセージの内容に従って端末内サーバの終了を行う（ステップＳ１１４）。
【００７２】
次に、通信制御部は、端末内サーバの終了を確認後、中継サーバへの接続を切断する（ステップＳ１１５）。通信転送部は、通信制御部からの切断を受け、遠隔操作部との接続を切断する。
【００７３】
以上のように本実施の形態２の遠隔操作システムでは、被操作端末のユーザがユーザインタフェース部を介して遠隔操作の受信状態を設定することができる。また、制御メッセージに従って端末内サーバが起動されるため、画像ファイル共有など様々なサービスの提供が可能となる。
【００７４】
（実施の形態３）
以下、本発明の実施の形態３に係る遠隔操作システムについて、図面を参照して詳細に説明する。但し、実施の形態１及び２で説明した構成ブロックや機能については一部説明を省略する。
【００７５】
図６は、実施の形態３に係る遠隔操作システム３０００の構成を示すブロック図である。中継サーバ２２０と操作端末２００は実施の形態２と同一の構成であるため説明を省略する。
【００７６】
被操作端末３４０は、新たに端末状態監視部３４４を具備する。
【００７７】
端末状態監視部３４４は、自端末の状態を監視する。具体的には、端末状態監視部３４４は、バッテリー残量やＣＰＵ負荷などの所定の監視項目について監視を行う。ここで、端末状態監視部３４４は、上記バッテリー残量が所定の基準値を下回った場合やＣＰＵ負荷が所定の基準値を上回った場合は、受付状態情報設定部３４５に通知する。
【００７８】
受付状態情報設定部３４５は、端末状態監視部３４４からの通知を受けて自端末の遠隔操作の受付状態を設定し、対応する受付状態情報を生成する。受付状態情報設定部３４５は、生成した受付状態情報を受付状態情報送信部３４１に出力する。
【００７９】
受付状態情報送信部３４１は、受付状態情報設定部３４５から入力した受付状態情報を中継サーバ２２０へ送信する。
【００８０】
上記構成によれば、被操作端末が有する端末状態監視部が自端末の状態を監視し、外部より遠隔操作を受けることが可能な状態であるかを判断する。自端末が遠隔操作を受けることが困難な状態である場合には、現在遠隔操作を受け付けることができない旨の受付状態情報が中継サーバに送信されて登録される。従って、中継サーバより遠隔操作に関する制御メッセージが送信されないため、被操作端末で不要な処理が発生することを抑えることができる。
【００８１】
なお、上記説明では、端末状態監視部３４４は、バッテリー残量やＣＰＵ負荷を監視する場合について説明したが、これに限るものではなく、例えば現在通話中であるかや、他の遠隔操作を受けている最中であるか等に基づいて自端末の遠隔操作の受付状態が設定されていても良い。
【００８２】
また、充電やＣＰＵ負荷の低下により、所定の基準値をクリアした場合には、端末状態監視部３４４から受付状態情報設定部にその旨の通知が行き、受付状態情報設定部３４５が遠隔操作の受付が可能であることを示す受付状態情報を生成しても良い。
【００８３】
（実施の形態４）
以下、本発明の実施の形態４に係る遠隔操作システムについて、図面を参照して詳細に説明する。但し、実施の形態１〜３で説明した構成ブロックや機能については一部説明を省略する。
【００８４】
図７は、実施の形態４に係る遠隔操作システム４０００の構成を示すブロック図である。
【００８５】
被操作端末４４０は、新たに最低優先度情報設定部４４５を備える。
【００８６】
最低優先度情報設定部４４５は、端末状態監視部３４４より通知される自端末の状態や図示せぬユーザインタフェース部を介してユーザが行う指示に基づいて最低優先度を設定する。ここで最低優先度とは、自端末を遠隔操作するために必要とする最低の優先度を示す値であり、例えば０から７の８段階で設定される。
【００８７】
最低優先度情報設定部４４５は、例えば、端末状態監視部３４４からの通知に基づいて、端末バッテリー残量が少なくなってきた場合やＣＰＵ負荷が大きくなった場合に最低優先度を大きく設定し、充電ケーブルを接続した場合やディスプレイを非表示にした場合に最低優先度を小さく設定する。
【００８８】
最低優先度情報設定部４４５は、上記設定した最低優先度を自端末の遠隔操作の受付状態として受付状態情報を生成する。すなわち、受付状態情報には自端末を識別する情報と最低優先度情報が含まれる。このように端末状態監視部３４４が監視する端末の状態に応じて最低優先度情報設定部４４５において自動的に最低優先度を決定され、受付状態情報が生成される。
【００８９】
受付状態情報送信部３４１は、最低優先度情報設定部４４５が生成した最低優先度を含む受付状態情報を中継サーバに送信する。
【００９０】
次に、操作端末４００について説明する。操作端末４００は、ユーザインタフェース提供部４０３と優先度設定部４０４を更に備える。
【００９１】
ユーザインタフェース提供部４０３は、ユーザからの入力をタッチパネルやテンキーなどで受け、またユーザへの出力を表示する。
【００９２】
優先度設定部４０４は、ユーザインタフェース提供部４０３を介して行われるユーザからの指示に基づいて遠隔操作に対する優先度を設定する。優先度は、遠隔操作の重要性を表すもので、数値が大きいほど優先すべき操作とする。
【００９３】
ここで優先度は、被操作端末側で設定される最低優先度と同様０〜７の８段階であるとする。なお、最低優先度情報設定部４４５で設定できる最低優先度の値の範囲と、優先度設定部４０４で設定できる値の範囲とは、同じ範囲にしてもよいし、異なる範囲にしてもよい。最低優先度設定部で設定できる上限値よりも優先度設定部で設定できる上限値が大きい場合、被操作側端末ユーザの設定に関わらず、操作端末側からの遠隔操作を強制することができる。逆に、最低優先度設定部で設定できる上限値よりも優先度設定部で設定できる上限値が小さい場合、被操作側端末ユーザが大きな値を指定することで、操作端末側からの遠隔操作を完全に拒否することができる。
【００９４】
優先度設定部４０４は、設定した優先度を含めて遠隔操作要求を生成する。すなわち、優先度設定部４０４は、遠隔操作開始を示すメッセージと共に自端末の操作側識別情報と、遠隔操作を行いたい相手の被操作側識別情報と、設定した優先度情報と、を含む遠隔操作要求を生成する。
【００９５】
遠隔操作要求送信部２０１は、優先度設定部４０４で生成された優先度情報を含む遠隔操作要求を中継サーバに送信する。
【００９６】
次に中継サーバ４２０について説明する。ただし受付状態情報管理部４２３及び判定部４２４以外のブロックについては説明を省略する。
【００９７】
受付状態情報管理部４２３は、受信部２２１で受信された受付状態情報を入力し、各被操作端末の最低優先度を管理する。
【００９８】
図８は、受付状態情報管理部４２３が記憶する受付状態情報の一例である。図８に示すように、受付状態情報として、被操作端末を特定する被操作側識別情報及び当該被操作端末の最低優先度が組として記憶されている。
【００９９】
判定部４２４は、受付状態情報管理部４２３に記憶されている受付状態情報を参照し、受信部２２１で受信された遠隔操作要求に含まれる優先度が、当該遠隔操作要求で特定される被操作端末の最低優先度を上回っているかどうかの判定を行う。
【０１００】
判定部４２４は、遠隔操作要求に含まれる優先度が上記最低優先度を上回っている場合は、当該遠隔操作を受け付けることが可能と判定する。一方、遠隔操作要求に含まれる優先度が上記最低優先度を下回っている場合は、判定部４２４は、被操作端末が当該遠隔操作を受け付けることが不可能と判定する。
【０１０１】
以上説明したように、本実施の形態の遠隔操作システムでは、操作端末から遠隔操作の優先度を送信し、予め被操作端末から設定された優先度を上回る場合にのみ被操作端末に遠隔制御メッセージを送信する、というように構成されている。従って、被操作端末ユーザがバッテリー残量低下、緊急を要する操作中、などの理由により遠隔操作を受けることを回避したい場合に、高い最低優先度を設定し、又は端末監視手段により自動的に設定され、それ以下の優先度の遠隔操作要求が送られてきても、中継サーバでこれを拒否する。従って、被操作側端末には不要なメッセージが届かないため、被操作端末のメッセージ識別処理が増えてしまうことを防ぐことができる。
【０１０２】
このように、本遠隔操作システムでは、中継サーバにて優先度による遠隔操作許可の判断を行い、優先度が条件を満たさない場合は被操作側端末に制御メッセージを送信しないため、柔軟に被操作端末の処理を減らすことができ、消費電力を下げることができる。
【０１０３】
（実施の形態５）
以下、本発明の実施の形態５に係る遠隔操作システムについて、図面を参照して詳細に説明する。但し、実施の形態１〜４で説明した構成ブロックや機能については一部説明を省略する。
【０１０４】
図９は、実施の形態５に係る遠隔操作システム５０００の構成を示すブロック図である。
【０１０５】
操作端末５００は、新たに遠隔操作種別設定部５０４を備える。
【０１０６】
遠隔操作種別設定部５０４は、ユーザインタフェース提供部４０３を介してユーザより行われる指示に基づいて、実行しようとする遠隔操作の種類を設定する。ここで、遠隔操作の種類には、例えば端末内サーバの起動や終了、端末の設定変更、測位情報や画像ファイルといった各種データの送信などがある。
【０１０７】
操作端末５００のユーザは、ユーザインタフェース提供部４０３を通じて実行したい遠隔操作を選択する。遠隔操作種別設定部５０４は、当該選択された遠隔操作の内容を含めて遠隔操作要求を生成する。すなわち、遠隔操作種別設定部５０４は、自端末の操作側識別情報と、遠隔操作を行いたい相手の被操作側識別情報と、に加えて遠隔操作の種類を示す情報を含めた遠隔操作要求を生成する。遠隔操作要求送信部４０１は、当該遠隔操作要求を中継サーバ５２０に送信する。
【０１０８】
中継サーバ５２０の判定部５２４は、受付状態情報管理部４２３に記憶されている受付状態情報を参照することで、遠隔操作要求内で要求されている種類の遠隔操作を許可できるかどうかを判定する。
【０１０９】
具体的には、遠隔操作の種類にはそれぞれ優先度が割り当てられており、判定部１２４は、遠隔操作要求内で要求されている種類の遠隔操作の優先度が、受付状態情報で示される最低優先度を上回っているかどうかを判定する。
【０１１０】
図１０は、遠隔操作内容毎に割り当てられた優先度を示している。例えば端末設定変更は、機器のサポートを行うために遠隔から操作するヘルプデスク業務や、企業で従業員が利用している端末を一括して管理する場合など一般的に重要度が高いため、高い優先度が割り当てられている。一方、画像ファイル送信に関する遠隔操作は重要度が低いため、低い優先度が割り当てられている。
【０１１１】
判定部５２４は、受信部２２１が受信した遠隔操作要求に含まれる遠隔操作の種類に対応する優先度を特定し、受付状態情報管理部４２３に記憶されている受付状態情報を参照して最低優先度を特定し、これらを比較する。比較の結果、前記遠隔操作の種類に対応する優先度が前記最低優先度を上回っている場合は、当該遠隔操作要求を許可する判定を行う。
【０１１２】
以上説明したように、中継サーバ５２０は、要求する遠隔操作の内容に応じて遠隔操作を認めるかどうかを優先度を用いて柔軟に設定できるため、被操作端末の負荷を軽減しつつ、柔軟な遠隔操作システムを実現することができる。
【０１１３】
以上各実施の形態で説明したように、本発明の遠隔操作システムによれば、被操作端末の負荷を抑えつつ操作側端末のユーザが任意のタイミングで遠隔操作を行うことが出来る。
【０１１４】
なお、本発明は上記実施の形態に限られたものではなく、趣旨を逸脱しない範囲で適宜変更することが可能である。例えば、中継サーバが有する判定部は、ＣＰＵ等の情報処理部であり、当該判定部が行う判定処理は、プログラムを実行することで実現されていても良い。また、被操作端末における各部が提供する機能についても、被操作端末が具備するＣＰＵ等の情報処理部が所定のプログラムを実行することで実現される構成であっても良い。
【０１１５】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１６】
以上、実施の形態を参照して本願発明を説明したが、本願発明は上記によって限定されるものではない。本願発明の構成や詳細には、発明のスコープ内で当業者が理解し得る様々な変更をすることができる。
【０１１７】
この出願は、２０１１年５月１２日に出願された日本出願特願２０１１−１０６８９８を基礎とする優先権を主張し、その開示の全てをここに取り込む。
【０１１８】
また、本発明は以下の形態を取ることも可能である。
【０１１９】
（１）遠隔操作を行う操作端末である第１移動通信端末装置と、前記遠隔操作を受ける被操作端末である第２移動通信端末装置と、前記遠隔操作を中継する中継装置とを備え、前記第１移動通信端末装置は、遠隔操作要求を送信する遠隔操作要求送信手段を具備し、前記第２移動通信端末装置は、遠隔操作の受付状態を示す受付状態情報を送信する受付状態情報送信手段と、遠隔操作に関する制御メッセージを受信する制御メッセージ受信手段と、前記受信した制御メッセージに基づいてサービスを提供するサービス提供手段と、を具備し、前記中継装置は、前記遠隔操作要求及び前記受付状態情報を受信する受信手段と、遠隔操作が許可されている操作端末又は操作ユーザと被操作端末又は被操作ユーザとの対応関係を示すアクセス許可情報を管理するアクセス許可情報管理手段と、前記受信した受付状態情報を管理する受付状態情報管理手段と、
前記アクセス許可情報及び受付状態情報に基づいて前記遠隔操作要求で要求される遠隔操作を許可するかどうかの判定を行う判定手段と、前記判定手段で遠隔操作を許可すると判定された場合に、前記遠隔操作に関する制御メッセージを送信する制御メッセージ送信手段と、を具備する、遠隔操作システム。
（２）遠隔操作の受付状態を示す受付状態情報を送信する受付状態情報送信手段と、遠隔操作に関する制御メッセージを受信する制御メッセージ受信手段と、前記受信した制御メッセージに基づいてサービスを提供するサービス提供手段と、を具備する移動通信端末装置。
（３）自装置の状態を監視する監視手段を更に具備し、前記受付状態情報送信手段は、前記監視手段の監視結果に基づいて前記受付状態情報を送信する、（２）に記載の移動通信端末装置。
（４）前記監視手段は、自装置のバッテリー残量又はＣＰＵ負荷を監視し、前記受付状態情報送信手段は、前記監視手段が監視する前記バッテリー残量が所定の基準値を下回った場合又は前記監視手段が監視する前記ＣＰＵ負荷が所定の基準値を上回った場合に遠隔操作を受け付けない状態であることを示す受付状態情報を送信する、（３）に記載の移動通信端末装置。
（５）前記受付状態情報送信手段は、遠隔操作の受付状態を示す受付状態情報として自端末が受け付ける遠隔操作の最低優先度を送信する、（２）乃至（４）のいずれか１項に記載の移動通信端末装置。
（６）前記サービス提供手段は、サーバ手段と、前記制御メッセージに基づいて前記サーバ手段を制御する制御手段と、前記サーバ手段に対する遠隔操作の要求に応じてデータの送信を行うデータ送信手段と、を備える、（２）乃至（５）のいずれか１項に記載の移動通信端末装置。
（７）遠隔操作の開始要求である遠隔操作要求及び遠隔操作の受付状態を示す受付状態情報を受信する受信手段と、遠隔操作が許可されている操作端末又は操作ユーザと被操作端末又は被操作ユーザとの対応関係を示すアクセス許可情報を管理するアクセス許可情報管理手段と、前記受信した受付状態情報を管理する受付状態情報管理手段と、前記アクセス許可情報及び受付状態情報に基づいて前記遠隔操作要求で要求される遠隔操作を許可するかどうかの判定を行う判定手段と、前記判定手段で遠隔操作を許可すると判定された場合に、前記遠隔操作に関する制御メッセージを送信する制御メッセージ送信手段と、を具備する中継装置。
（８）前記遠隔操作要求は、遠隔操作の優先度に関する優先度情報を含み、前記受付状態情報は、受け付ける遠隔操作の最低優先度を示す最低優先度情報を含み、前記判定手段は、前記受信した遠隔操作要求に含まれる優先度情報で示される優先度が前記受付状態情報に含まれる最低優先度情報で示される最低優先度を上回っている場合は、前記遠隔操作要求で要求される遠隔操作を許可する判定を行う、（７）に記載の中継装置。
（９）前記遠隔操作要求は、要求する遠隔操作の種類に関する情報を含み、前記受付状態情報は、受け付ける遠隔操作の最低優先度を示す最低優先度情報を含み、前記判定手段は、前記遠隔操作要求で要求される遠隔操作の種類に予め割り当てられた優先度が前記最低優先度情報で示される最低優先度を上回っている場合は、前記遠隔操作要求で要求される種類の遠隔操作を許可する判定を行う、（７）に記載の中継装置。
（１０）遠隔操作を受ける被操作端末より前記被操作端末における遠隔操作の受付状態を示す受付状態情報を受信し、遠隔操作を行う操作端末より遠隔操作要求を受信し、遠隔操作が許可されている操作端末又は操作ユーザと被操作端末又は被操作ユーザとの対応関係を示すアクセス許可情報に基づいて、前記受信した遠隔操作要求で要求される遠隔操作が許可されているかどうかを判定し、受信した受付状態情報に基づいて前記遠隔操作要求で要求される遠隔操作を前記被操作端末が受け付けているかどうかを判定し、許可された遠隔操作であると判定され、被操作端末が受け付けていると判定された場合は、前記被操作端末に前記遠隔操作に関する制御メッセージを送信する中継方法。
（１１）遠隔操作が許可されている操作端末又は操作ユーザと被操作端末又は被操作ユーザとの対応関係を示すアクセス許可情報に基づいて、前記受信した遠隔操作要求で要求される遠隔操作が許可されているかどうかを判定し、受信した受付状態情報に基づいて前記遠隔操作要求で要求される遠隔操作を前記被操作端末が受け付けているかどうかを判定する処理を情報処理装置に実行させる判定プログラム。
【符号の説明】
【０１２０】
１００    操作端末
１０１    遠隔操作要求送信部
１２０    中継サーバ
１２１    受信部
１２２    アクセス許可情報管理部
１２３    受付状態情報管理部
１２４    判定部
１２５    送信部
１４０    被操作端末
１４１    受付状態情報送信部
１４２    制御メッセージ受信部
１４３    サービス提供部
２００    操作端末
２０１    遠隔操作要求送信部
２０２    遠隔操作部
２２０    中継サーバ
２２１    受信部
２２２    アクセス許可情報管理部
２２６    通信転送部
２４０    被操作端末
２４１    アクセス許可情報・受付状態情報送信部
２４４    ユーザインタフェース提供部
２４５    受付状態情報設定部
２４６    アクセス許可情報設定部
２４７    サーバ制御部
２４８    端末内サーバ
２４９    通信制御部
３４０    被操作端末
３４１    受付状態情報送信部
３４４    端末状態監視部
３４５    受付状態情報設定部
４００    操作端末
４０１    遠隔操作要求送信部
４０３    ユーザインタフェース提供部
４０４    優先度設定部
４２０    中継サーバ
４２３    受付状態情報管理部
４２４    判定部
４４０    被操作端末
４４５    最低優先度情報設定部
４４５    最低優先度設定部
５００    操作端末
５０４    遠隔操作種別設定部
５２０    中継サーバ
５２４    判定部
【図１】
2012153457.tif 000003
【図２】
2012153457.tif 000004
【図３】
2012153457.tif 000005
【図４】
2012153457.tif 000006
【図５】
2012153457.tif 000007
【図６】
2012153457.tif 000008
【図７】
2012153457.tif 000009
【図８】
2012153457.tif 000010
【図９】
2012153457.tif 000011
【図１０】
2012153457.tif 000012
【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
遠隔操作を行う操作端末である第１移動通信端末装置と、前記遠隔操作を受ける被操作端末である第２移動通信端末装置と、前記遠隔操作を中継する中継装置を備え、
前記第１移動通信端末装置は、
遠隔操作要求を送信する遠隔操作要求送信手段を具備し、
前記第２移動通信端末装置は、
遠隔操作の受付状態を示す受付状態情報を送信する受付状態情報送信手段と、
遠隔操作に関する制御メッセージを受信する制御メッセージ受信手段と、
前記受信した制御メッセージに基づいてサービスを提供するサービス提供手段と、
を具備し、
前記中継装置は、
前記遠隔操作要求及び前記受付状態情報を受信する受信手段と、
遠隔操作が許可されている操作端末又は操作ユーザと被操作端末又は被操作ユーザとの対応関係を示すアクセス許可情報を管理するアクセス許可情報管理手段と、
前記受信した受付状態情報を管理する受付状態情報管理手段と、
前記アクセス許可情報及び受付状態情報に基づいて前記遠隔操作要求で要求される遠隔操作を許可するかどうかの判定を行う判定手段と、
前記判定手段で遠隔操作を許可すると判定された場合に、前記遠隔操作に関する制御メッセージを送信する制御メッセージ送信手段と、
を具備する、
遠隔操作システム。
【請求項２】
遠隔操作の受付状態を示す受付状態情報を送信する受付状態情報送信手段と、
遠隔操作に関する制御メッセージを受信する制御メッセージ受信手段と、
前記受信した制御メッセージに基づいてサービスを提供するサービス提供手段と、
を具備する移動通信端末装置。
【請求項３】
自装置の状態を監視する監視手段を更に具備し、
前記受付状態情報送信手段は、前記監視手段の監視結果に基づいて前記受付状態情報を送信する、
請求項２に記載の移動通信端末装置。
【請求項４】
前記監視手段は、自装置のバッテリー残量又はＣＰＵ負荷を監視し、
前記受付状態情報送信手段は、前記監視手段が監視する前記バッテリー残量が所定の基準値を下回った場合又は前記監視手段が監視する前記ＣＰＵ負荷が所定の基準値を上回った場合に遠隔操作を受け付けない状態であることを示す受付状態情報を送信する、
請求項３に記載の移動通信端末装置。
【請求項５】
前記受付状態情報送信手段は、遠隔操作の受付状態を示す受付状態情報として自端末が受け付ける遠隔操作の最低優先度を送信する、
請求項２乃至４のいずれか１項に記載の移動通信端末装置。
【請求項６】
前記サービス提供手段は、
サーバ手段と、
前記制御メッセージに基づいて前記サーバ手段を制御する制御手段と、前記サーバ手段に対する遠隔操作の要求に応じてデータの送信を行うデータ送信手段と、を備える、
請求項２乃至５のいずれか１項に記載の移動通信端末装置。
【請求項７】
遠隔操作の開始要求である遠隔操作要求及び遠隔操作の受付状態を示す受付状態情報を受信する受信手段と、
遠隔操作が許可されている操作端末又は操作ユーザと被操作端末又は被操作ユーザとの対応関係を示すアクセス許可情報を管理するアクセス許可情報管理手段と、
前記受信した受付状態情報を管理する受付状態情報管理手段と、
前記アクセス許可情報及び受付状態情報に基づいて前記遠隔操作要求で要求される遠隔操作を許可するかどうかの判定を行う判定手段と、
前記判定手段で遠隔操作を許可すると判定された場合に、前記遠隔操作に関する制御メッセージを送信する制御メッセージ送信手段と、
を具備する中継装置。
【請求項８】
前記遠隔操作要求は、遠隔操作の優先度に関する優先度情報を含み、
前記受付状態情報は、受け付ける遠隔操作の最低優先度を示す最低優先度情報を含み、
前記判定手段は、前記受信した遠隔操作要求に含まれる優先度情報で示される優先度が前記受付状態情報に含まれる最低優先度情報で示される最低優先度を上回っている場合は、前記遠隔操作要求で要求される遠隔操作を許可する判定を行う、
請求項７に記載の中継装置。
【請求項９】
前記遠隔操作要求は、要求する遠隔操作の種類に関する情報を含み、
前記受付状態情報は、受け付ける遠隔操作の最低優先度を示す最低優先度情報を含み、
前記判定手段は、前記遠隔操作要求で要求される遠隔操作の種類に予め割り当てられた優先度が前記最低優先度情報で示される最低優先度を上回っている場合は、前記遠隔操作要求で要求される種類の遠隔操作を許可する判定を行う、
請求項７に記載の中継装置。
【請求項１０】
遠隔操作を受ける被操作端末より前記被操作端末における遠隔操作の受付状態を示す受付状態情報を受信し、
遠隔操作を行う操作端末より遠隔操作要求を受信し、
遠隔操作が許可されている操作端末又は操作ユーザと被操作端末又は被操作ユーザとの対応関係を示すアクセス許可情報に基づいて、前記受信した遠隔操作要求で要求される遠隔操作が許可されているかどうかを判定し、
受信した受付状態情報に基づいて前記遠隔操作要求で要求される遠隔操作を前記被操作端末が受け付けているかどうかを判定し、
前記第１ステップで許可された遠隔操作であると判定され、前記第２ステップで被操作端末が受け付けていると判定された場合は、前記被操作端末に前記遠隔操作に関する制御メッセージを送信する
中継方法。
【請求項１１】
コンピュータに、
遠隔操作が許可されている操作端末又は操作ユーザと被操作端末又は被操作ユーザとの対応関係を示すアクセス許可情報に基づいて、前記受信した遠隔操作要求で要求される遠隔操作が許可されているかどうかを判定し、受信した受付状態情報に基づいて前記遠隔操作要求で要求される遠隔操作を前記被操作端末が受け付けているかどうかを判定する処理を実行させる、判定プログラム。
【手続補正３】
【補正対象書類名】明細書
【補正対象項目名】０００１
【補正方法】変更
【補正の内容】
【０００１】
本発明は、中継装置を用いた遠隔操作システム及び当該遠隔操作システムで用いられる中継装置、移動通信端末装置、中継方法、及び判定プログラムに関する。
【国際調査報告】
2012153457.tif 000013
2012153457.tif 000014
2012153457.tif 000015
2012153457.tif 000016